(57)【要約】【課題】利便性の向上を図ることが可能な情報処理装置、情報処理システム、及び情報処理方法を提供する。【解決手段】情報処理装置１は、マウス操作に応じて表示画像を変化させるものであって、マウスホイール７１が所定速度以上で回転操作されたか否かを判断する回転判定部１１ｂと、回転判定部１１ｂによりマウスホイールが所定速度以上で回転操作されたと判断された場合に、回転操作量よりも大きな操作量を設定するブースター設定部１２ａと、マウス操作に応じてブースター設定部１２ａにより設定された操作量に基づいて画像制御を行う画像制御部１２ｂと、を備え、回転判定部１１ｂは、所定速度以上で回転操作されたか否かを判断するパラメータを所定条件に応じて変更する。【選択図】図３
2014067295.tif 000002
【特許請求の範囲】
【請求項１】
マウス操作に応じて表示画像を変化させる情報処理装置であって、
マウスホイールが所定速度以上で回転操作されたか否かを判断する判定手段と、
前記判定手段により前記マウスホイールが所定速度以上で回転操作されたと判断された場合に、前記回転操作量よりも大きな操作量を設定するブースター設定手段と、
マウス操作に応じて前記ブースター設定手段により設定された操作量に基づいて画像制御を行う画像制御手段と、を備え、
前記判定手段は、所定速度以上で回転操作されたか否かを判断するパラメータを所定条件に応じて変更する
ことを特徴とする情報処理装置。
【請求項２】
前記判定手段は、マウスホイールを上方向に回転させる操作が行われた場合、マウスホイールを下方向に回転させる操作よりも、所定速度以上で回転操作されたと判断され易い方向にパラメータを変更する
ことを特徴とする請求項１に記載の情報処理装置。
【請求項３】
前記判定手段は、画像データを編集する編集画像が表示され、画像データ内の特定領域が選択されていない場合、前記編集画像が表示されていない場合、及び、前記編集画像が表示されているが画像データ内の特定領域が選択されている場合よりも、所定速度以上で回転操作されたと判断され難い方向にパラメータを変更する
ことを特徴とする請求項１又は請求項２のいずれかに記載の情報処理装置。
【請求項４】
前記判定手段は、画像データを編集する編集画像が表示され、画像データ内の特定領域が選択されている場合、前記編集画像が表示されていない場合、及び、前記編集画像が表示されているが画像データ内の特定領域が選択されていない場合よりも、所定速度以上で回転操作されたと判断され易い方向にパラメータを変更する
ことを特徴とする請求項１から請求項３のいずれか１項に記載の情報処理装置。
【請求項５】
前記判定手段は、ＣＰＵ使用率が所定率よりも高い場合、ＣＰＵ使用率が所定率以下である場合よりも、所定速度以上で回転操作されたと判断され易い方向にパラメータを変更する
ことを特徴とする請求項１から請求項４のいずれか１項に記載の情報処理装置。
【請求項６】
前記判定手段は、マウスホイールの回転方向と同じ方向にマウスを移動させる操作があった場合、そうでない場合よりも、所定速度以上で回転操作されたと判断され易い方向にパラメータを変更する
ことを特徴とする請求項１から請求項５のいずれか１項に記載の情報処理装置。
【請求項７】
前記判定手段は、リストを表示するリスト表示画像の現在の表示位置からスクロール可能なスクロール可能幅が所定幅よりも小さい場合、前記スクロール可能幅が所定幅以上である場合よりも、所定速度以上で回転操作されたと判断され難い方向にパラメータを変更する
ことを特徴とする請求項１から請求項６のいずれか１項に記載の情報処理装置。
【請求項８】
前記判定手段は、所定速度以上で回転操作されたか否かを判断するパラメータをマウスの種類に応じて変更する
ことを特徴とする請求項１から請求項７のいずれか１項に記載の情報処理装置。
【請求項９】
前記判定手段は、所定速度以上で回転操作されたか否かを判断するパラメータをユーザ毎に変更する
ことを特徴とする請求項１から請求項８のいずれか１項に記載の情報処理装置。
【請求項１０】
マウス操作を受け付ける操作装置と、前記操作装置と通信接続されて前記操作装置により受け付けられた操作内容に応じて表示画像を変化させる処理装置とを備えた情報処理システムであって、
前記操作装置は、マウスホイールが所定速度以上で回転操作されたか否かを判断する判定手段を有し、
前記処理装置は、前記判定手段により前記マウスホイールが所定速度以上で回転操作されたと判断された場合に、前記回転操作量よりも大きな操作量を設定するブースター設定手段と、マウス操作に応じて前記ブースター設定手段により設定された操作量に基づいて画像制御を行う画像制御手段と、を備え、
前記判定手段は、所定速度以上で回転操作されたか否かを判断するパラメータを所定条件に応じて変更する
ことを特徴とする情報処理システム。
【請求項１１】
前記処理装置は、前記判定手段を備え、
前記操作装置の前記判定手段は、前記処理装置の前記判定手段よりも、所定速度以上で回転操作されたと判断され難い方向にパラメータを設定する
ことを特徴とする請求項１０に記載の情報処理システム。
【請求項１２】
マウス操作に応じて表示画像を変化させる情報処理方法であって、
マウスホイールが所定速度以上で回転操作されたか否かを判断する判定工程と、
前記判定工程において前記マウスホイールが所定速度以上で回転操作されたと判断された場合に、前記回転操作量よりも大きな操作量を設定するブースター設定工程と、
マウス操作に応じて前記ブースター設定工程において設定された操作量に基づいて画像制御を行う画像制御工程と、を備え、
前記判定工程では、所定速度以上で回転操作されたか否かを判断するパラメータを所定条件に応じて変更する
ことを特徴とする情報処理方法。
【発明の詳細な説明】
【技術分野】
【０００１】
本発明は、情報処理装置、情報処理システム、及び情報処理方法に関する。
【背景技術】
【０００２】
従来、マルチファンクン・ペリフェラル（以下ＭＦＰという）やパーソナル・コンピュータ（以下ＰＣ）において、画像上の指定の箇所をマウスクリックすることにより、選択項目や表示項目のリストを表示するリスト表示画像をスクロールさせたり、数値を入力する数値入力画像においては数値をカウントアップさせたりすることが知られている。
【０００３】
また、マウスの中央やや先端側に設けられる回転操作可能なマウスホイールを高速回転させた場合には、リスト表示のスクロール幅を増やしたり、数値のカウントアップ量やカウントダウン量を増やしたりするブースター機能についても知られている。このブースター機能によれば、リスト表示を大きくスクロールさせたい場合や数値を大きく変化させたいときに、マウスホイールを高速回転させればよく、利便性の向上を図ることができる。なお、ブースター機能は、画像の拡大量や縮小量を増加させるものなど、多種多様な用途に用いられる（特許文献１参照）。
【先行技術文献】
【特許文献】
【０００４】
【特許文献１】特開２００６−４２６０号公報
【発明の開示】
【発明が解決しようとする課題】
【０００５】
ここで、マウスホイールを高速回転させた否かについては以下のように判断される。まず、マウスホイールの回転量が所定量に達した場合、すなわち１ノッチ操作があった場合に計時が開始され、所定時間内に再度１ノッチ操作があったか否かが判断される。そして、所定時間内のノッチ操作が所定回数以上連続した場合に、マウスホイールが高速回転させられたと判断して、ブースター機能を有効とする。
【０００６】
しかし、マウスホイールを高速回転させたか否かを判断するパラメータ（上記所定時間や所定回数）を常に同じ値としてしまうと、様々な場面に対応できず、利便性の低下を招いてしまう。一例を挙げると、人間の手の構造上、マウスホイールを下方向に回転させる操作を行い易いが、上方向に回転させる操作は行い難い。このため、マウスホイールを下方向に回転させた場合には容易にブースター機能を利用してスクロール等させることできるが、上方向に回転させた場合には容易にブースター機能を利用してスクロール等させることができず、利便性の低下を招いてしまう。
【０００７】
本発明は、このような従来の課題を解決するためになされたものであり、その目的とするところは、利便性の向上を図ることが可能な情報処理装置、情報処理システム、及び情報処理方法を提供することにある。
【課題を解決するための手段】
【０００８】
上記目的を達成するため、本発明に係る情報処理装置は、マウス操作に応じて表示画像を変化させるものであって、マウスホイールが所定速度以上で回転操作されたか否かを判断する判定手段と、判定手段によりマウスホイールが所定速度以上で回転操作されたと判断された場合に、回転操作量よりも大きな操作量を設定するブースター設定手段と、マウス操作に応じてブースター設定手段により設定された操作量に基づいて画像制御を行う画像制御手段と、を備え、判定手段は、所定速度以上で回転操作されたか否かを判断するパラメータを所定条件に応じて変更することを特徴とする。
【０００９】
この情報処理装置によれば、所定速度以上で回転操作されたか否かを判断するパラメータを所定条件に応じて変更するため、様々な場面に対応してパラメータを変更することができ、利便性の向上を図ることができる。
【００１０】
また、この情報処理装置において、判定手段は、マウスホイールを上方向に回転させる操作が行われた場合、マウスホイールを下方向に回転させる操作よりも、所定速度以上で回転操作されたと判断され易い方向にパラメータを変更することが好ましい。
【００１１】
この情報処理装置によれば、マウスホイールを上方向に回転させる操作が行われた場合、所定速度以上で回転操作されたと判断され易い方向にパラメータを変更するため、人間の構造上、操作が困難となる上方向については所定速度以上で回転操作されたと判断され易くなり、利便性を向上させることができる。
【００１２】
また、この情報処理装置において、判定手段は、画像データを編集する編集画像が表示され、画像データ内の特定領域が選択されていない場合、編集画像が表示されていない場合、及び、編集画像が表示されているが画像データ内の特定領域が選択されている場合よりも、所定速度以上で回転操作されたと判断され難い方向にパラメータを変更することが好ましい。
【００１３】
この情報処理装置によれば、画像データを編集する編集画像が表示され、画像データ内の特定領域が選択されていない場合、所定速度以上で回転操作されたと判断され難い方向にパラメータを変更する。ここで、上記場合とは、例えば１ドット単位で編集するような繊細な操作を行う場合が想定され、ブースター機能を有効化する必要性が少ない。このため、所定速度以上で回転操作されたと判断され難い方向にパラメータを変更することで、誤ってユーザがマウスホイールに触れてしまってもブースター機能が有効化し難くなり、利便性を向上させることができる。
【００１４】
また、この情報処理装置において、判定手段は、画像データを編集する編集画像が表示され、画像データ内の特定領域が選択されている場合、編集画像が表示されていない場合、及び、編集画像が表示されているが画像データ内の特定領域が選択されていない場合よりも、所定速度以上で回転操作されたと判断され易い方向にパラメータを変更することが好ましい。
【００１５】
この情報処理装置によれば、画像データを編集する編集画像が表示され、画像データ内の特定領域が選択されている場合、所定速度以上で回転操作されたと判断され易い方向にパラメータを変更する。ここで、上記場合とは、特定領域が選択されていることから、特定領域を拡大する拡大操作であることが想定され、ブースター機能を有効化する必要性が高いと想定される。このため、所定速度以上で回転操作されたと判断され易い方向にパラメータを変更することで、利便性を向上させることができる。
【００１６】
また、この情報処理装置において、判定手段は、ＣＰＵ使用率が所定率よりも高い場合、ＣＰＵ使用率が所定率以下である場合よりも、所定速度以上で回転操作されたと判断され易い方向にパラメータを変更することが好ましい。
【００１７】
この情報処理装置によれば、ＣＰＵ使用率が所定率よりも高い場合、所定速度以上で回転操作されたと判断され易い方向にパラメータを変更する。ここで、例えばジョブ実行時など高負荷時においてＣＰＵはジョブを実行する処理を優先的に行う関係上、所定速度以上で回転操作されたと判断する処理にＣＰＵを割き難くなる。このため、所定速度以上で回転操作されたと判断され易くして、この処理に要する時間を短縮して処理プログラムが正常に動作できなくなってしまう事態を防止することができる。
【００１８】
また、この情報処理装置において、判定手段は、マウスホイールの回転方向と同じ方向にマウスを移動させる操作があった場合、そうでない場合よりも、所定速度以上で回転操作されたと判断され易い方向にパラメータを変更することが好ましい。
【００１９】
この情報処理装置によれば、マウスホイールの回転方向と同じ方向にマウスを移動させる操作があった場合、所定速度以上で回転操作されたと判断され易い方向にパラメータを変更する。ここで、ユーザは所定速度以上で回転操作を行いたい場合、マウスホイールの回転操作にあわせてマウスを移動操作させてしまうことがある。このため、このような場合に所定速度以上で回転操作されたと判断され易い方向にパラメータを変更することで、利便性を向上させることができる。
【００２０】
また、この情報処理装置において、判定手段は、リストを表示するリスト表示画像の現在の表示位置からスクロール可能なスクロール可能幅が所定幅よりも小さい場合、スクロール可能幅が所定幅以上である場合よりも、所定速度以上で回転操作されたと判断され難い方向にパラメータを変更することが好ましい。
【００２１】
この情報処理装置によれば、リスト表示画像の現在の表示位置からスクロール可能なスクロール可能幅が所定幅よりも小さい場合、所定速度以上で回転操作されたと判断され難い方向にパラメータを変更する。このため、現在の表示位置からスクロールさせる幅があまり無い場合には、所定速度以上で回転操作されたと判断され難くして利便性を向上させることができる。
【００２２】
また、この情報処理装置において、判定手段は、所定速度以上で回転操作されたか否かを判断するパラメータをマウスの種類に応じて変更することが好ましい。
【００２３】
この情報処理装置によれば、所定速度以上で回転操作されたか否かを判断するパラメータをマウスの種類に応じて変更するため、マウスイベントの分解能が異なるマウスの種類毎に適切なパラメータに変更することが可能となり、より利便性を向上させることができる。
【００２４】
また、この情報処理装置において、判定手段は、所定速度以上で回転操作されたか否かを判断するパラメータをユーザ毎に変更することが好ましい。
【００２５】
この情報処理装置によれば、所定速度以上で回転操作されたか否かを判断するパラメータをユーザ毎に変更するため、例えば指が長くマウスホイールの回転操作を行い易いユーザとそうでないユーザとによって適切なパラメータに変更することが可能となり、より利便性を向上させることができる。
【００２６】
また、本発明に係る情報処理システムは、マウス操作を受け付ける操作装置と、操作装置と通信接続されて操作装置により受け付けられた操作内容に応じて表示画像を変化させる処理装置とを備えたものであって、操作装置は、マウスホイールが所定速度以上で回転操作されたか否かを判断する判定手段を有し、処理装置は、判定手段によりマウスホイールが所定速度以上で回転操作されたと判断された場合に、回転操作量よりも大きな操作量を設定するブースター設定手段と、マウス操作に応じてブースター設定手段により設定された操作量に基づいて画像制御を行う画像制御手段と、を備え、判定手段は、所定速度以上で回転操作されたか否かを判断するパラメータを所定条件に応じて変更することを特徴とする。
【００２７】
この情報処理システムによれば、所定速度以上で回転操作されたか否かを判断するパラメータを所定条件に応じて変更するため、様々な場面に対応してパラメータを変更することができ、利便性の向上を図ることができる。
【００２８】
また、この情報処理システムにおいて、処理装置は、判定手段を備え、操作装置の判定手段は、処理装置の判定手段よりも、所定速度以上で回転操作されたと判断され難い方向にパラメータを設定することが好ましい。
【００２９】
この情報処理システムによれば、操作装置の判定手段は、処理装置の判定手段よりも、所定速度以上で回転操作されたと判断され難い方向にパラメータを設定する。ここで、操作装置からのリモートパネル操作を行う場合、処理装置にて画像制御された内容が操作装置に送信されて操作装置にて表示されるという画像転送が行われる。よって、スクロール等を行う場合には画像転送が間に合わないこともあり、所定速度以上で回転操作されたと判断され難い方向にパラメータを設定することで、画像転送が間に合わなくなってしまう事態を防止することができる。
【００３０】
また、本発明に係る情報処理方法は、マウス操作に応じて表示画像を変化させる方法であって、マウスホイールが所定速度以上で回転操作されたか否かを判断する判定工程と、判定工程においてマウスホイールが所定速度以上で回転操作されたと判断された場合に、回転操作量よりも大きな操作量を設定するブースター設定工程と、マウス操作に応じてブースター設定工程において設定された操作量に基づいて画像制御を行う画像制御工程と、を備え、判定工程では、所定速度以上で回転操作されたか否かを判断するパラメータを所定条件に応じて変更することを特徴とする。
【００３１】
この情報処理方法によれば、所定速度以上で回転操作されたか否かを判断するパラメータを所定条件に応じて変更するため、様々な場面に対応してパラメータを変更することができ、利便性の向上を図ることができる。
【発明の効果】
【００３２】
本発明によれば、ブースター機能の利便性の向上を図ることが可能な情報処理装置、情報処理システム、及び情報処理方法を提供することができる。
【図面の簡単な説明】
【００３３】
【図１】第１実施形態に係る情報処理装置を示す構成図である。
【図２】図１に示した情報処理装置の内部主要構成を示すブロック図である。
【図３】図２に示したＣＰＵの主要構成を示す機能ブロック図である。
【図４】数値入力画像の一例を示す図である。
【図５】リスト表示画像の一例を示す図である。
【図６】編集画像の一例を示す図であって、特定領域が選択されていない状態を示している。
【図７】編集画像の一例を示す図であって、特定領域が選択されている状態を示している。
【図８】特定領域の拡大後の様子を示す図である。
【図９】本実施形態に係る情報処理方法を示す第１のフローチャートである。
【図１０】本実施形態に係る情報処理方法を示す第２のフローチャートである。
【図１１】本実施形態に係る情報処理方法を示す第３のフローチャートである。
【図１２】本実施形態に係る情報処理方法を示す第４のフローチャートである。
【図１３】本実施形態に係る情報処理方法を示す第５のフローチャートである。
【図１４】本実施形態に係る情報処理方法を示す第６のフローチャートである。
【図１５】第２実施形態に係る情報処理システムを示す構成図である。
【発明を実施するための形態】
【００３４】
以下、本発明の実施の形態に基づいて本発明を説明するが、本発明は該実施の形態に限られない。
【００３５】
図１は、第１実施形態に係る情報処理装置を示す構成図である。図１に示すように、情報処理装置１は、例えば複写機、プリンタ、イメージスキャナ及びファクシミリなどの事務機器の機能を１つの筐体に収めたデジタル複合機である。このような情報処理装置１は、例えば給紙装置２から給紙される用紙を、情報処理装置１を経て後処理装置３に供給し、所定の印刷物を形成するものである。なお、情報処理装置１は、上記の如く前段の給紙装置２及び後段の後処理装置３を備えるものに限らず、内部に給紙装置２を備えて１台で画像形成等を行うものであってもよい。
【００３６】
図２は、図１に示した情報処理装置１の内部主要構成を示すブロック図である。図２に示すように、情報処理装置１は、装置全体を制御するＣＰＵ１０と、原稿から画像データを読取るイメージリーダ部２０と、用紙上に画像を印刷するプリンタの制御を行うプリンタコントローラ３０と、近距離の無線通信などにより、回線に接続するための通信部４０と、ジョブデータや認証データなどを記憶するための記憶部５０と、ユーザとのインターフェースであって操作入力を受け付けるタッチパネル６０と、同様にユーザとのインターフェースであってクリック操作等を受け付けるマウス７０と、消耗品の残量などを検出するセンサ部８０とを含んで構成されている。
【００３７】
ここで、タッチパネル６０は、例えば画像を表示する表示部と兼用されるものである。また、マウス７０は、右クリック操作、左クリック操作、マウスホイール回転操作、及び移動操作が可能なデバイスである。マウスホール７１（図１参照）は、マウス７０の中央やや先端側に設けられる回転操作部である。
【００３８】
図３は、図２に示したＣＰＵ１０の主要構成を示す機能ブロック図である。図３に示すように、ＣＰＵ１０は、マウス制御部１１と、操作制御部１２とを備えている。マウス制御部１１は、マウス７０から送信される各種イベントを入力して操作制御部１２に送信するものである。
【００３９】
このマウス制御部１１は、マウス７０の移動操作に基づくマウス移動イベントの情報を入力する移動判定部１１ａと、マウスホイール操作に基づくマウスホイールイベントの情報を入力する回転判定部１１ｂと、クリック操作に基づくマウスクリックイベントの情報を入力するクリック判定部１１ｃとを備えている。また、各判定部１１ａ〜１１ｃにて入力されたイベント情報は、操作制御部１２に送信される。
【００４０】
また、回転判定部１１ｂは、マウス７０から送信されるマウスホイールイベントの情報を入力し、マウスホイール７１が所定速度以上で回転操作されたか（ブースター機能を有効とする操作があったか）否かを判断する判定手段として機能する。ここで、ブースター機能とは、マウスホイール７１を高速回転させた場合に、リスト表示のスクロール幅を増やしたり、数値のカウントアップ量やカウントダウン量を増やしたりする機能である。
【００４１】
より詳細に回転判定部１１ｂは、マウスホイール７１の回転速度と回転量とに基づき、マウスホイール７１が所定速度以上で回転操作されたか否かを判断する。例えば、回転判定部１１ｂは、マウスホイールの回転量が所定量に達した場合、すなわち１ノッチ操作があった場合に計時を開始し、所定時間内に再度１ノッチ操作があったか否かを判断する。そして、所定時間内のノッチ操作が所定回数以上連続した場合に、マウスホイール７１が所定速度以上で回転操作されたと判断する。マウスホイール７１が所定速度以上で回転操作されたと判断した場合、回転判定部１１ｂは、その旨の情報についても操作制御部１２に送信する。
【００４２】
操作制御部１２は、マウス制御部１１から送信されるイベント情報を判断し、そのイベント情報に応じた制御を実行するものであって、ブースター設定部１２ａと、画像制御部１２ｂとを備えている。
【００４３】
ブースター設定部１２ａは、回転判定部１１ｂによりマウスホイール７１が所定速度以上で回転操作された場合に、マウスホイール７１の回転操作量よりも大きな操作量を設定するブースター設定手段として機能するものである。
【００４４】
より詳細にブースター設定部１２ａは、例えばマウスホイール７１の回転量が５ノッチ操作分であった場合、これに１０ノッチ操作分を加算したり、１を超える所定の係数を乗算したりして、５ノッチ操作分の操作量よりも大きな操作量を設定する。なお、以下の実施形態においてブースター設定部１２ａは、マウスホイール７１の回転操作量よりも大きな操作量を設定するにあたり、加算処理を行うものとする。
【００４５】
画像制御部１２ｂは、マウス操作等に応じてタッチパネル６０に表示される画像を制御するものである。図４は、数値入力画像の一例を示す図である。図４に示すように、タッチパネル６０には例えば印刷部数を設定する場合に数値入力画像が表示される。このような数値入力画像には、例えば印刷部数表示部Ｉａ１、テンキー表示部Ｉａ２、加算ボタン表示部Ｉａ３、減算ボタン表示部Ｉａ４、クリアボタン表示部Ｉａ５、キャンセルボタン表示部Ｉａ６、及びＯＫボタン表示部Ｉａ７が表示される。
【００４６】
印刷部数表示部Ｉａ１は、印刷部数を表示する表示領域である。テンキー表示部Ｉａ２は、印刷部数を入力するための表示領域であり、ユーザはテンキー表示部Ｉａ２上の数値をタッチしたり、マウス７０を操作してマウスポインタ７２を数値上に移動させ、且つクリック操作したりすることにより、印刷部数を入力することができる。
【００４７】
加算ボタン表示部Ｉａ３は、印刷部数を１部加算する操作を行うための表示領域であり、ユーザはタッチ操作やクリック操作をすることにより、印刷部数を１部加算することができる。減算ボタン表示部Ｉａ４は、印刷部数を１部減算する操作を行うための表示領域であり、ユーザはタッチ操作やクリック操作をすることにより、印刷部数を１部減算することができる。
【００４８】
クリアボタン表示部Ｉａ５は、印刷部数をクリアする操作を行うための表示領域であり、ユーザはタッチ操作やクリック操作をすることにより、印刷部数をクリアすることができる。キャンセルボタン表示部Ｉａ６は、印刷部数を設定する場合に数値入力画像自体をキャンセルするための操作を行う表示領域であり、ユーザはタッチ操作やクリック操作をすることにより、数値入力画像が表示される状態から１つ前の画像が表示される状態に戻したり、初期画像が表示される状態に戻したりすることができる。
【００４９】
ＯＫボタン表示部Ｉａ７は、印刷部数表示部Ｉａ１に表示される印刷部数を確定する操作を行うための表示領域であり、ユーザはタッチ操作やクリック操作をすることにより、印刷部数を確定させることができる。
【００５０】
ここで、例えばユーザがマウスポインタ７２を移動させ、加算ボタン表示部Ｉａ３上にマウスポインタ７２を位置させ、その後クリックをするという操作を行ったとすると、移動判定部１１ａ及びクリック判定部１１ｃによりイベント情報が入力され、画像制御部１２ｂに送信される。画像制御部１２ｂは、移動判定部１１ａ及びクリック判定部１１ｃからのイベント情報に基づいて、マウスポインタ７２を加算ボタン表示部Ｉａ３上に移動させる画像制御を実行すると共に、クリック操作を受けて印刷部数を１部加算した画像を表示させることとなる。
【００５１】
さらに、画像制御部１２ｂは、ブースター設定部１２ａにより設定された操作量に基づいて画像制御を行う。例えばユーザがマウスホイール７１を上方向に１ノッチ分だけ回転させた場合、画像制御部１２ｂは加算ボタン表示部Ｉａ３がクリックされたときと同様に印刷部数を１部加算して表示する。加えて、ブースター機能が有効化されてマウスホイール７１の回転量よりも大きな操作量がブースター設定部１２ａにより設定された場合、画像制御部１２ｂは、その操作量に応じた画像制御を行う。
【００５２】
例えば、マウスホイール７１が上方向に５ノッチ分だけ高速回転させられた場合、ブースター設定部１２ａにより例えば１５ノッチ分に操作量に設定され、画像制御部１２ｂは、印刷部数を１５部加算して表示することとなる。
【００５３】
再度、図３を参照する。上記のような画像制御部１２ｂは、リスト制御部（リスト制御手段）１２ｂ１、及び数値入力制御部（数値入力制御手段）１２ｂ２を有している。数値入力制御部１２ｂ２は、上記の図４に示したように、数値入力時における画像を制御するものである。なお、数値入力制御部１２ｂ２は、印刷部数を設定する数値入力画像に限らず、綴じ代の幅、画像シフト量、及び各種調整値など、あらゆる数値入力画像を制御する。
【００５４】
リスト制御部１２ｂ１は、選択項目や表示項目のリストを表示するリスト表示画像を制御するものである。図５は、リスト表示画像の一例を示す図である。図５に示すように、タッチパネル６０には、例えばジョブリストを表示するリスト表示画像が表示される。このようなリスト表示画像には、例えば印刷画像表示部Ｉｂ１、ジョブリスト表示部Ｉｂ２、詳細ボタン表示部Ｉｂ３、順序入れ替えボタン表示部Ｉｂ４、編集ボタン表示部Ｉｂ５、ＨＤＤ保存ボタン表示部Ｉｂ６、出力ボタン表示部Ｉｂ７、及びスクロールバーＩｂ８が表示される。
【００５５】
印刷画像表示部Ｉｂ１は、例えば指定されたジョブの１枚目の画像を表示する表示領域である。ジョブリスト表示部Ｉｂ２は、印刷するジョブをリスト化して表示する表示領域であり、ジョブＩＤ、ジョブ名、ユーザ名、及び部数が表示される表示領域である。また、ユーザは、ジョブリスト表示部Ｉｂ２内のジョブにタッチ操作やクリック操作をすることにより、そのジョブを指定することができる。
【００５６】
詳細ボタン表示部Ｉｂ３は、指定されたジョブの詳細を表示する操作を行うための表示領域であり、ユーザは、詳細ボタン表示部Ｉｂ３にタッチ操作やクリック操作をすることにより、そのジョブの詳細を閲覧することができる。順序入れ替えボタン表示部Ｉｂ４は、例えば指定されたジョブを他のジョブより先んじて印刷させる操作を行うための表示領域であり、ユーザは順序入れ替えボタン表示部Ｉｂ４にタッチ操作やクリック操作をすることにより、指定のジョブを優先的に印刷することができる。なお、順序入れ替えボタン表示部Ｉｂ４は、２以上のジョブを指定の上、指定のジョブ同士の順番を入れ替えるなどの操作をすることも可能である。
【００５７】
編集ボタン表示部Ｉｂ５は、指定されたジョブ画像を編集する編集画面に移行する操作を行うための表示領域であり、ユーザは編集ボタン表示部Ｉｂ５にタッチ操作やクリック操作をすることにより、編集画面に移行することができる。ＨＤＤ保存ボタン表示部Ｉｂ６は、現在のジョブリストのジョブをＨＤＤ（例えば図２に示す記憶部５０）に保存させる操作を行うための表示領域であり、ユーザはＨＤＤ保存ボタン表示部Ｉｂ６にタッチ操作やクリック操作をすることにより、ジョブリストのジョブを保存することができる。
【００５８】
出力ボタン表示部Ｉｂ７は、現在のジョブリストのジョブを印刷する操作を行うための表示領域であり、ユーザは出力ボタン表示部Ｉｂ７にタッチ操作やクリック操作をすることにより、ジョブリストのジョブを印刷することができる。スクロールバーＩｂ８は、ジョブリストをスクロールする操作を行うための表示領域であり、ユーザはスクロールバーＩｂ８にタッチ又はクリックのうえドラック操作することにより、ジョブリストを上下にスクロールすることができる。
【００５９】
ここで、例えばユーザがマウスポインタ７２を移動させ、スクロールバーＩｂ８上にマウスポインタ７２を位置させ、その後下方向にドラックするという操作を行ったとすると、移動判定部１１ａ及びクリック判定部１１ｃによりイベント情報が入力され、リスト制御部１２ｂ１に送信される。リスト制御部１２ｂ１は、移動判定部１１ａ及びクリック判定部１１ｃからのイベント情報に基づいて、スクロールバーＩｂ８を下方向に移動させる画像制御を実行すると共に、ジョブリストを下方向にスクロールさせた画像を表示することとなる。
【００６０】
さらに、リスト制御部１２ｂ１は、ブースター設定部１２ａにより設定された操作量に基づいて画像制御を行う。例えばユーザがマウスホイール７１を下方向に１ノッチ分だけ回転させた場合、リスト制御部１２ｂ１はジョブリストを１ノッチ分（例えばジョブ１つ分）だけスクロールさせて表示する。加えて、ブースター機能が有効化されてマウスホイール７１の回転量よりも大きな操作量がブースター設定部１２ａにより設定された場合、リスト制御部１２ｂ１は、その操作量に応じた画像制御を行う。
【００６１】
例えば、マウスホイール７１が下方向に５ノッチ分だけ高速回転させられた場合、ブースター設定部１２ａにより例えば１５ノッチ分に操作量に設定され、リスト制御部１２ｂ１は、ジョブリストをジョブ１５個分だけスクロールさせて表示することとなる。
【００６２】
さらに、本実施形態において回転判定部１１ｂは、ユーザの利便性向上のため、マウスホイール７１が所定速度以上で回転操作されたか否かを判断するパラメータを所定条件に応じて変更する。ここで、回転判定部１１ｂは、所定時間内のノッチ操作が所定回数以上連続することにより、マウスホイール７１が所定速度以上で回転操作されたと判断する。このため、回転判定部１１ｂは、ユーザの利便性向上のため、所定条件に応じて上記所定時間及び所定回数を変更する。なお、以下の説明においては、パラメータとして所定時間及び所定回数を挙げ、回転判定部１１ｂが所定条件に応じて上記所定時間及び所定回数の双方を変更する例を説明するが、これに限らず、いずれか一方のみを変更するようにしてもよい。
【００６３】
より具体的に回転判定部１１ｂは、１）マウスホイール７１を上方向に回転させる操作があった場合、２）画像データを編集する編集画像が表示され、画像データ内の特定領域が選択されていない場合、３）画像データを編集する編集画像が表示され、画像データ内の特定領域が選択されている場合、４）ＣＰＵ１０の使用率が所定率よりも高い場合、５）マウスホイール７１の回転方向と同じ方向にマウス７０を移動させた場合、及び、６）リスト表示画像の現在位置からスクロール可能なスクロール可能幅が所定幅よりも小さい場合に、パラメータを変更する。以下、それぞれについて説明する。
【００６４】
まず、１）マウスホイール７１を上方向に回転させる操作があった場合、回転判定部１１ｂは、下方向に回転操作があった場合よりも、所定速度以上で回転操作されたと判断され易い方向にパラメータを変更する。すなわち、上方向の回転操作があった場合、所定時間を短くしたり所定回数を小さくしたりする。これにより、人間の構造上、操作が困難となる上方向については所定速度以上で回転操作されたと判断され易くなり、利便性を向上させることとしている。
【００６５】
また、２）画像データを編集する編集画像が表示され、画像データ内の特定領域が選択されていない場合、回転判定部１１ｂは、編集画像が表示されていない場合、及び、編集画像が表示されているが画像データ内の特定領域が選択されている場合よりも、所定速度以上で回転操作されたと判断され難い方向にパラメータを変更する。さらに、３）画像データを編集する編集画像が表示され、画像データ内の特定領域が選択されている場合、回転判定部１１ｂは、編集画像が表示さていない場合、及び、編集画像が表示されているが画像データ内の特定領域が選択されていない場合よりも、所定速度以上で回転操作されたと判断され易い方向にパラメータを変更する。
【００６６】
図６及び図７は、編集画像の一例を示す図である。図６に示すように、編集画像には、調整前画像表示部Ｉｃ１、調整前色素値表示部Ｉｃ２、調整後画像表示部Ｉｃ３、調整後色素値表示部Ｉｃ４、キャンセルボタン表示部Ｉｃ５、ＯＫボタン表示部Ｉｃ６、及び拡大縮小表示部Ｉｃ７が表示される。
【００６７】
調整前画像表示部Ｉｃ１は、編集前の画像データが表示される表示領域である。調整前色素値表示部Ｉｃ２は、編集前の画像データの色素値、すなわちイエロー、マゼンダ、シアン、及びブラックの色素値を表示する表示領域である。
【００６８】
調整後画像表示部Ｉｃ３は、編集後の画像データが表示される表示領域である。調整後色素値表示部Ｉｃ４は、編集後の画像データの色素値、すなわちイエロー、マゼンダ、シアン、及びブラックの色素値を表示する表示領域である。
【００６９】
キャンセルボタン表示部Ｉｃ５、及びＯＫボタン表示部Ｉｃ６は、図４に示したものと同様である。拡大縮小表示部Ｉｃ７は、マウスホイール７１を上方向に回転させることにより画像を拡大表示可能であることを示すと共に、下方向に回転させることにより画像を縮小表示可能であることを示す表示領域である。
【００７０】
ここで、本実施形態においてユーザは調整後画像表示部Ｉｃ３にタッチ又はクリックのうえドラック操作することにより、図７に示すように、画像データの特定領域Ｉｃ８を選択することができる。
【００７１】
回転判定部１１ｂは、図６に示すように調整後画像表示部Ｉｃ３内の特定領域が選択されていない場合、所定速度以上で回転操作されたと判断され難い方向にパラメータを変更する。ここで、上記場合とは、例えば１ドット単位で編集するような繊細な操作を行う場合が想定され、ブースター機能を有効化する必要性が少ない。このため、回転判定部１１ｂは、所定速度以上で回転操作されたと判断され難い方向にパラメータを変更することで、誤ってユーザがマウスホイールに触れてしまってもブースター機能が有効化し難くしている。
【００７２】
一方、回転判定部１１ｂは、図７に示すように調整後画像表示部Ｉｃ３内の特定領域が選択されている場合、所定速度以上で回転操作されたと判断され易い方向にパラメータを変更する。ここで、上記場合とは、特定領域が選択されていることから、特定領域を拡大する拡大操作であることが想定され、ブースター機能を有効化する必要性がある。このため、回転判定部１１ｂは、所定速度以上で回転操作されたと判断され易い方向にパラメータを変更することで、利便性を向上させることとしている。図８は、特定領域Ｉｃ８の拡大後の様子を示す図である。図８に示すように、ブースター機能によって特定領域Ｉｃ８が調整後画像表示部Ｉｃ３一杯に拡大されている。回転判定部１１ｂは、図７に示す状態において、図８のように拡大する操作を行い易くするためにパラメータを変更することとなる。
【００７３】
次に、４）ＣＰＵ１０の使用率が所定率よりも高い場合、回転判定部１１ｂは、ＣＰＵ使用率が所定率以下である場合よりも、所定速度以上で回転操作されたと判断され易い方向にパラメータを変更する。ここで、例えばジョブ実行時など高負荷時においてＣＰＵ１０はジョブを実行する処理を優先的に行う関係上、所定速度以上で回転操作されたと判断する処理にＣＰＵ１０を割き難くなる。このため、回転判定部１１ｂは、所定速度以上で回転操作されたと判断され易くして、所定速度以上の回転操作の判断処理に要する時間を短縮して処理プログラムが正常に動作できなくなってしまう事態を防止することとしている。
【００７４】
また、５）マウスホイール７１の回転方向と同じ方向にマウス７０を移動させた場合、回転判定部１１ｂは、そうでない場合よりも、所定速度以上で回転操作されたと判断され易い方向にパラメータを変更する。ここで、ユーザは所定速度以上で回転操作を行いたい場合、マウスホイール７１の回転操作にあわせてマウス７０を移動操作させてしまうことがある。このため、このような場合に所定速度以上で回転操作されたと判断され易い方向にパラメータを変更することで、利便性を向上させることとしている。
【００７５】
さらに、６）リスト表示画像の現在位置からスクロール可能なスクロール可能幅が所定幅よりも小さい場合に、回転判定部１１ｂは、スクロール可能幅が所定幅以上である場合よりも、所定速度以上で回転操作されたと判断され難い方向にパラメータを変更する。例えば、図５に示すリスト表示画像において、スクロールバーＩｂ８は、下方向には大きく移動可能であるが、上方向にはあまり移動できない。よって、マウスホイール７１を上方向に回転させた場合には、所定速度以上で回転操作されたと判断され難くなる。これにより、スクロール可能幅があまり無い場合に、所定速度以上で回転操作されたと判断された難くして利便性を向上させることができる。
【００７６】
再度図３を参照する。さらに本実施形態において回転判定部１１ｂは、マウス７０の種類に応じてパラメータを変更する機能を有している。例えば、マウス７０は、その種類によってマウスイベントの分解能が異なる。よって、５ノッチ分の操作をしたにも拘わらず回転判定部１１ｂにて認識される操作が４ノッチであるという事態も生じ得る。このため、マウス７０の種類に応じてパラメータを変更することで、一層利便性を向上させることとしている。なお、マウス７０の種類は、例えばマウスドライバの情報によって判断される。
【００７７】
また、本実施形態において回転判定部１１ｂは、ユーザ毎にパラメータを変更する機能を備えている。例えばユーザには、指が長く回転操作を行い易い人と、指が短く回転操作を行い難い人とが存在する。よって、指が長くマウスホイールの回転操作を行い易いユーザとそうでないユーザとによってパラメータを変更して、より利便性を向上させるようにしている。例えば、指の長いユーザについて所定速度以上で回転操作されたと判断され難い方向にパラメータを変更したり、指の短いユーザについて所定速度以上で回転操作されたと判断され易い方向にパラメータを変更したりすることとなる。なお、ユーザについては、例えばパスワードの入力や各種認証手段によって判断されることとなる。
【００７８】
次に、本実施形態に係る情報処理方法を説明する。図９は、本実施形態に係る情報処理方法を示す第１のフローチャートである。まず、図９に示すように、割り込みマウスホイールイベントが発生したとする（Ｓ１）。すなわち、マウスホイール７１が１ノッチ分だけ回転操作させられたとする。これにより、回転判定部１１ｂは、その旨のイベント情報を操作制御部１２に送信する（Ｓ２）。
【００７９】
次いで、回転判定部１１ｂは、マウスホイール７１の回転方向を検出する（Ｓ３）。そして、回転判定部１１ｂは、所定速度以上で回転操作されたか否かを判断するパラメータをセットする（Ｓ４）。この処理において回転判定部１１ｂは、ステップＳ３にて検出した回転方向が上方向である場合、所定速度以上で回転操作されたと判断され易い方向にパラメータを変更する。また、回転判定部１１ｂは、回転方向が下方向である場合、所定速度以上で回転操作されたと判断され難い方向にパラメータを変更してもよいし、予め定められている基準パラメータのまま維持してもよい。
【００８０】
次いで、回転判定部１１ｂは、前回の割り込みマウスホイールイベント発生から所定時間内であるか否かを判断する（Ｓ５）。この所定時間は、ステップＳ４にて設定された値が採用されることとなる。前回の割り込みマウスホイールイベント発生から所定時間内であると判断した場合（Ｓ５：ＹＥＳ）、回転判定部１１ｂは、カウンタをインクリメントし（Ｓ６）、所定回転数以上であるか否かを判断する（Ｓ７）。すなわち、回転判定部１１ｂは、カウンタの数値が所定数以上であるか否かを判断する。この所定回転数（所定数）は、ステップＳ４にて設定された値が採用されることとなる。
【００８１】
所定回転数以上でないと判断した場合（Ｓ７：ＮＯ）、図９に示す処理は終了する。所定回転数以上であると判断した場合（Ｓ７：ＹＥＳ）、回転判定部１１ｂは、マウスホイール７１が高速回転させられたと判定し（Ｓ８）、すなわち所定速度以上で回転操作されたと判断し、その旨の信号を操作制御部１２に送信する（Ｓ９）。そして、図９に示す処理は終了する。
【００８２】
一方、前回の割り込みマウスホイールイベント発生から所定時間内でないと判断した場合（Ｓ５：ＮＯ）、回転判定部１１ｂは、カウンタをリセットし（Ｓ１０）、図９に示す処理は終了する。なお、図９に示す処理は情報処理装置１の電源がオフされるまで、繰り返し実行される。
【００８３】
図１０は、本実施形態に係る情報処理方法を示す第２のフローチャートである。なお、図１０においてステップＳ１１，Ｓ１２，Ｓ１６〜Ｓ２１に示す処理は、図９に示すステップＳ１，Ｓ２，Ｓ５〜Ｓ１０に示す処理と同様であるため、説明を省略する。
【００８４】
図１０に示すように、イベント情報が操作制御部１２に送信された後（Ｓ１２の後）、回転判定部１１ｂは、編集画像が表示されているかを判断し（Ｓ１３）、その後特定領域が選択されているかを判断する（Ｓ１４）。そして、回転判定部１１ｂは、ステップＳ１３，Ｓ１４の結果に基づいて、パラメータをセットする（Ｓ１５）。ここで、回転判定部１１ｂは、編集画像が表示され特定領域が選択されていない場合、所定速度以上で回転操作されたと判断され難い方向にパラメータを変更する。また、回転判定部１１ｂは、編集画像が表示され特定領域が選択されている場合、所定速度以上で回転操作されたと判断され易い方向にパラメータを変更する。なお、どちらにも該当しない場合、回転判定部１１ｂは、例えば予め定められている基準パラメータを維持することとなる。
【００８５】
その後、ステップＳ１６〜Ｓ２１の処理が実行されて図１０に示す処理は終了する。なお、図１０に示す処理についても情報処理装置１の電源がオフされるまで、繰り返し実行される。
【００８６】
図１１は、本実施形態に係る情報処理方法を示す第３のフローチャートである。なお、図１１においてステップＳ３１，Ｓ３２，Ｓ３５〜Ｓ４０に示す処理は、図９に示すステップＳ１，Ｓ２，Ｓ５〜Ｓ１０に示す処理と同様であるため、説明を省略する。
【００８７】
図１１に示すように、イベント情報が操作制御部１２に送信された後（Ｓ３２の後）、回転判定部１１ｂは、ＣＰＵ使用率が所定率よりも高いかを判断する（Ｓ３３）。そして、回転判定部１１ｂは、ステップＳ３３の結果に基づいて、パラメータをセットする（Ｓ３４）。ここで、回転判定部１１ｂは、ＣＰＵ使用率が所定率よりも高い場合、所定速度以上で回転操作されたと判断され易い方向にパラメータを変更する。なお、ＣＰＵ使用率が所定率よりも高くない場合、回転判定部１１ｂは、所定速度以上で回転操作されたと判断され難い方向にパラメータを変更してもよいし、例えば予め定められている基準パラメータを維持するようにしてもよい。
【００８８】
その後、ステップＳ３５〜Ｓ４０の処理が実行されて図１１に示す処理は終了する。なお、図１１に示す処理についても情報処理装置１の電源がオフされるまで、繰り返し実行される。
【００８９】
図１２は、本実施形態に係る情報処理方法を示す第４のフローチャートである。なお、図１２においてステップＳ４１，Ｓ４２，Ｓ４５〜Ｓ５０に示す処理は、図９に示すステップＳ１，Ｓ２，Ｓ５〜Ｓ１０に示す処理と同様であるため、説明を省略する。
【００９０】
図１２に示すように、イベント情報が操作制御部１２に送信された後（Ｓ４２の後）、回転判定部１１ｂは、マウスホイール７１の回転方向とマウス７０の移動方向とが同じであるかを判断する（Ｓ４３）。そして、回転判定部１１ｂは、ステップＳ４３の結果に基づいて、パラメータをセットする（Ｓ４４）。ここで、回転判定部１１ｂは、マウスホイール７１の回転方向とマウス７０の移動方向とが同じである場合、所定速度以上で回転操作されたと判断され易い方向にパラメータを変更する。なお、マウスホイール７１の回転方向とマウス７０の移動方向とが同じでない場合、回転判定部１１ｂは、所定速度以上で回転操作されたと判断され難い方向にパラメータを変更してもよいし、例えば予め定められている基準パラメータを維持するようにしてもよい。
【００９１】
その後、ステップＳ４５〜Ｓ５０の処理が実行されて図１２に示す処理は終了する。なお、図１２に示す処理についても情報処理装置１の電源がオフされるまで、繰り返し実行される。
【００９２】
図１３は、本実施形態に係る情報処理方法を示す第５のフローチャートである。なお、図１３においてステップＳ５１，Ｓ５２，Ｓ５５〜Ｓ６０に示す処理は、図９に示すステップＳ１，Ｓ２，Ｓ５〜Ｓ１０に示す処理と同様であるため、説明を省略する。
【００９３】
図１３に示すように、イベント情報が操作制御部１２に送信された後（Ｓ５２の後）、回転判定部１１ｂは、マウスホイール７１の回転方向のスクロール可能幅を検出して、所定幅よりも小さいかを判断する（Ｓ５３）。そして、回転判定部１１ｂは、ステップＳ５３の結果に基づいて、パラメータをセットする（Ｓ５４）。ここで、回転判定部１１ｂは、スクロール可能幅が所定幅よりも小さい場合、所定速度以上で回転操作されたと判断され難い方向にパラメータを変更する。なお、スクロール可能幅が所定幅以上である場合、回転判定部１１ｂは、所定速度以上で回転操作されたと判断され易い方向にパラメータを変更してもよいし、例えば予め定められている基準パラメータを維持するようにしてもよい。
【００９４】
その後、ステップＳ５５〜Ｓ６０の処理が実行されて図１３に示す処理は終了する。なお、図１３に示す処理についても情報処理装置１の電源がオフされるまで、繰り返し実行される。
【００９５】
図１４は、本実施形態に係る情報処理方法を示す第６のフローチャートである。なお、図１３においてステップＳ６１，Ｓ６２，Ｓ６５〜Ｓ７０に示す処理は、図９に示すステップＳ１，Ｓ２，Ｓ５〜Ｓ１０に示す処理と同様であるため、説明を省略する。
【００９６】
図１４に示すように、イベント情報が操作制御部１２に送信された後（Ｓ６２の後）、回転判定部１１ｂは、マウスの種類とユーザとを判別する（Ｓ６３）。そして、回転判定部１１ｂは、ステップＳ６３の結果に基づいて、パラメータをセットする（Ｓ６４）。
【００９７】
その後、ステップＳ６５〜Ｓ７０の処理が実行されて図１４に示す処理は終了する。なお、図１４に示す処理についても情報処理装置１の電源がオフされるまで、繰り返し実行される。
【００９８】
このようにして、本実施形態に係る情報処理装置１及び情報処理方法によれば、所定速度以上で回転操作されたか否かを判断するパラメータを所定条件に応じて変更するため、様々な場面に対応してパラメータを変更することができ、利便性の向上を図ることができる。
【００９９】
また、マウスホイール７１を上方向に回転させる操作が行われた場合、所定速度以上で回転操作されたと判断され易い方向にパラメータを変更するため、人間の構造上、操作が困難となる上方向については所定速度以上で回転操作されたと判断され易くなり、利便性を向上させることができる。
【０１００】
また、画像データを編集する編集画像が表示され、画像データ内の特定領域Ｉｃ８が選択されていない場合、所定速度以上で回転操作されたと判断され難い方向にパラメータを変更する。ここで、上記場合とは、例えば１ドット単位で編集するような繊細な操作を行う場合が想定され、ブースター機能を有効化する必要性が少ない。このため、所定速度以上で回転操作されたと判断され難い方向にパラメータを変更することで、誤ってユーザがマウスホイールに触れてしまってもブースター機能が有効化し難くなり、利便性を向上させることができる。
【０１０１】
また、画像データを編集する編集画像が表示され、画像データ内の特定領域Ｉｃ８が選択されている場合、所定速度以上で回転操作されたと判断され易い方向にパラメータを変更する。ここで、上記場合とは、特定領域Ｉｃ８が選択されていることから、特定領域Ｉｃ８を拡大する拡大操作であることが想定され、ブースター機能を有効化する必要性が高いと想定される。このため、所定速度以上で回転操作されたと判断され易い方向にパラメータを変更することで、利便性を向上させることができる
【０１０２】
また、ＣＰＵ使用率が所定率よりも高い場合、所定速度以上で回転操作されたと判断され易い方向にパラメータを変更する。ここで、例えばジョブ実行時など高負荷時においてＣＰＵ１０はジョブを実行する処理を優先的に行う関係上、所定速度以上で回転操作されたと判断する処理にＣＰＵ１０を割き難くなる。このため、所定速度以上で回転操作されたと判断され易くして、この処理に要する時間を短縮して処理プログラムが正常に動作できなくなってしまう事態を防止することができる。
【０１０３】
また、マウスホイール７１の回転方向と同じ方向にマウス７０を移動させる操作があった場合、所定速度以上で回転操作されたと判断され易い方向にパラメータを変更する。ここで、ユーザは所定速度以上で回転操作を行いたい場合、マウスホイール７１の回転操作にあわせてマウス７０を移動操作させてしまうことがある。このため、このような場合に所定速度以上で回転操作されたと判断され易い方向にパラメータを変更することで、利便性を向上させることができる。
【０１０４】
また、リスト表示画像の現在の表示位置からスクロール可能なスクロール可能幅が所定幅よりも小さい場合、所定速度以上で回転操作されたと判断され難い方向にパラメータを変更する。このため、現在の表示位置からスクロールさせる幅があまり無い場合には、所定速度以上で回転操作されたと判断され難くして利便性を向上させることができる。
【０１０５】
また、所定速度以上で回転操作されたか否かを判断するパラメータをマウス７０の種類に応じて変更するため、マウスイベントの分解能が異なるマウスの種類毎に適切なパラメータに変更することが可能となり、より利便性を向上させることができる。
【０１０６】
また、所定速度以上で回転操作されたか否かを判断するパラメータをユーザ毎に変更するため、例えば指が長くマウスホイールの回転操作を行い易いユーザとそうでないユーザとによって適切なパラメータに変更することが可能となり、より利便性を向上させることができる。
【０１０７】
次に、本発明の第２実施形態を説明する。第２実施形態は、第１実施形態に係る情報処理装置１及び情報処理方法と同様であるが、構成及び処理方法が一部異なっている。以下、第１実施形態との相違点のみを説明する。
【０１０８】
まず、第１実施形態では情報処理装置１を示していた。しかし、情報処理装置１に限らず、第１実施形態に係る情報処理装置１の各機能を、マウス操作を受け付ける操作装置と、操作装置と通信接続されて操作装置により受け付けられた操作内容に応じて表示画像を変化させる処理装置とに分けて構成してもよい。
【０１０９】
図１５は、第２実施形態に係る情報処理システム１００を示す構成図である。図１５に示すように、情報処理システム１００は、操作装置の一例としてのＰＣ４と、処理装置としてのＭＦＰ５と、これらを通信接続するためのＬＡＮ６とから構成されている。
【０１１０】
また、第２実施形態においてＰＣ４はマウス制御部１１を備えており、ＭＦＰ５は、マウス制御部１１及び操作制御部１２を備えている。ＰＣ４のマウス制御部１１からのイベント情報は、ＬＡＮ６を通じてＭＦＰ５に送信され、ＭＦＰ５のタッチパネル６０にイベントに応じた表示が行われる。さらに、ＭＦＰ５の操作制御部１２は、ＰＣ４に対してイベントに応じた表示内容を送信し、ＰＣ４は、画面上に受信した内容を表示する。加えてＭＦＰ５は、自己のタッチパネル６０にもＰＣ４に送信した内容と同じ内容を表示する。
【０１１１】
さらに、第２実施形態においてＰＣ４の回転判定部１１ｂは、ＭＦＰ５の回転判定部１１ｂよりも、所定速度以上で回転操作されたと判断され難い方向にパラメータを設定している。ここで、ＰＣ４からのリモートパネル操作を行う場合、ＭＦＰ５にて画像制御された内容がＰＣ４に送信されてＰＣ４にて表示されるという画像転送が行われる。よって、スクロール等を行う場合には画像転送が間に合わないこともあり、所定速度以上で回転操作されたと判断され難い方向にパラメータを設定しておくことで、画像転送が間に合わなくなってしまう事態を防止するようにしている。
【０１１２】
なお、上記のパラメータの設定はリスト画像表示時のみとしもよい。リスト画像表示時においては、ジョブリスト等がスクロールされることとなり、数値入力画像よりも転送されるデータ量が多く、より画像転送が間に合わなくなってしまうからである。
【０１１３】
このようにして、第２実施形態に係る情報処理システム１００及び情報処理方法によれば、第１実施形態と同様の効果を得ることができる。
【０１１４】
また、第２実施形態によれば、ＰＣ４の回転判定部１１ｂは、ＭＦＰ５の回転判定部１１ｂよりも、所定速度以上で回転操作されたと判断され難い方向にパラメータを設定する。ここで、ＰＣ４からのリモートパネル操作を行う場合、ＭＦＰ５にて画像制御された内容がＰＣ４に送信されてＰＣ４にて表示されるという画像転送が行われる。よって、スクロール等を行う場合には画像転送が間に合わないこともあり、所定速度以上で回転操作されたと判断され難い方向にパラメータを設定することで、画像転送が間に合わなくなってしまう事態を防止することができる。
【０１１５】
以上、本発明に係る画像形成装置、画像形成装置及び画像形成システムを実施形態に基づいて説明したが、本発明はこれに限定されるものではなく、本発明の趣旨を逸脱しない範囲で、変更を加えてもよい。
【０１１６】
例えば、上記実施形態においてリスト表示画像はジョブリストに限らず、紙種設定画像における紙種リストや、プルダウンにおける選択項目リストも該当する。
【符号の説明】
【０１１７】
１  情報処理装置
２  給紙装置
３  後処理装置
４  ＰＣ
５  ＭＦＰ
６  ＬＡＮ
１０  ＣＰＵ
１１  マウス制御部
１１ａ  移動判定部
１１ｂ  回転判定部
１１ｃ  クリック判定部
１２  操作制御部
１２ａ  ブースター設定部
１２ｂ  画像制御部
１２ｂ１  リスト画像制御部
１２ｂ２  数値入力制御部
２０  イメージリーダ部
３０  プリンタコントローラ
４０  通信部
５０  記憶部
６０  タッチパネル
７０  マウス
７１  マウスホイール
７２  マウスポインタ
【図１】
2014067295.tif 000003
【図２】
2014067295.tif 000004
【図３】
2014067295.tif 000005
【図４】
2014067295.tif 000006
【図５】
2014067295.tif 000007
【図６】
2014067295.tif 000008
【図７】
2014067295.tif 000009
【図８】
2014067295.tif 000010
【図９】
2014067295.tif 000011
【図１０】
2014067295.tif 000012
【図１１】
2014067295.tif 000013
【図１２】
2014067295.tif 000014
【図１３】
2014067295.tif 000015
【図１４】
2014067295.tif 000016
【図１５】
2014067295.tif 000017